(57)【特許請求の範囲】
【請求項１】
ワインボトルの先端部が挿通可能な貫通孔が設けられた多角形の平板から成るワインスタンドであって、
前記貫通孔の中心から前記平板の各辺までの垂線の長さが辺毎に異なるように配置され、
前記貫通孔が２つ以上設けられ、
前記垂線の長さは、全て異なることを特徴とするワインスタンド。
【請求項２】
ワインボトルの先端部が挿通可能な貫通孔が設けられた多角形の平板から成るワインスタンドであって、
前記貫通孔の中心から前記平板の各辺までの垂線の長さが辺毎に異なるように配置され、
前記貫通孔にワインボトルの先端部を挿通してワインスタンドを使用する際に、ワインスタンドが卓と当接する部分が支点となり、該支点を中心にワインボトルが回転しワインがグラスに注がれることを特徴とするワインスタンド。
【請求項３】
前記貫通孔は、互いに径の異なる２つ以上の孔であることを特徴とする請求項１又は２に記載のワインスタンド。
【請求項４】
前記平板は、正三角形、正方形、長方形、或は、正五角形の何れかであることを特徴とする請求項１〜３の何れかに記載のワインスタンド。
【請求項５】
前記垂線の長さは、前記貫通孔にワインボトルの先端部を挿通してワインスタンドを使用する際に、ワインボトルの軸方向が略水平角度で、１〜３°の範囲の調整が可能となるように設けられたことを特徴とする請求項１〜４の何れかに記載のワインスタンド。
【発明の詳細な説明】
【技術分野】
【０００１】
本発明は、コルクを抜いたワインボトルからワインを提供する際に、提供途中でワインボトルを傾けた状態で固定するスタンドに関するものである。
【背景技術】
【０００２】
一般に、ワインを低温で長く保存すると、酒石酸とカリウムやカルシウムの化合物が結晶化して析出することがあり、また、特に赤ワインでは、色素成分も沈澱を起こすことがある。さらに、ワインの熟成過程でタンニンなどの成分同志がくっつき合い、澱となって析出してくることもある。これらは、身体には無害であるが、美味しく飲用するためには、澱をワイングラスに入れないように注意して注ぐなどの工夫が必要である。
【０００３】
そこで、澱をワイングラスに入れないように、ワインの上澄み部だけを別の容器に注いでから、テーブルまで運ぶという方法がとられてきた。また、別の容器に移さない方法としては、ワインバスケットが用いられている。
しかし、ワインの上澄み部だけを別の容器に注ぐ方法では、手間がかかるという問題がある。また、ワインバスケットを用いると、ワインをワイングラスに注いだ後に、ワインボトルを立てることなく、寝かせた状態で保持することができるという利点はある。しかしながら、ワインバスケットは、保持する角度を調整することはできないため、ワインバスケットに設けられた角度よりも、ワインボトルをより寝かせた状態にしてワイングラスに注いだ後に、ワインバスケットにボトルを置いた場合、一度寝かせたワインボトルを立てることになり、澱が舞い上がってしまうという問題があった。
なお、本明細書において、角度とは、ワインボトルの軸方向と水平面とのなす角度のことを指している。
【０００４】
ワインボトルを置く機構を有するものとして、独特の形状とワインボトルの支持機構でワインボトルを略水平に寝かせた状態に保管でき、かつ飲用時にはコースターにもなるワインボトル置き台が知られている（特許文献１を参照）。
また、場所を取らず、持ち運びが可能なワインボトルラックも知られている（特許文献２を参照）。
上記特許文献１に開示されたワインボトル置き台や、特許文献２に開示されたワインボトルラックは、いずれも洒落た形状となっており、ワインボトルを保持することができる構造を有している。
しかしながら、上記特許文献１に開示されたワインボトル置き台や、特許文献２に開示されたワインボトルラックでは、ワインの飲用時にワインボトルの角度を段階的に調整する機構は有しておらず、澱が舞い上がるという不都合を解消するものではなかった。
【先行技術文献】
【特許文献】
【０００５】
【特許文献１】登録実用新案第３０１２７９９号公報
【特許文献２】特開平８−２９９０６７号公報
【発明の概要】
【発明が解決しようとする課題】
【０００６】
かかる状況に鑑みて、本発明は、ワインボトルの軸方向と水平面とのなす角度を段階的に調整することで、ワインボトル内の澱が舞い上がることが防止可能なワインスタンドを提供することを目的とする。
【課題を解決するための手段】
【０００７】
上記課題を解決すべく、本発明のワインスタンドは、ワインボトルの先端部が挿通可能な貫通孔が設けられた多角形の平板から成るワインスタンドであって、貫通孔の中心から平板の各辺までの垂線の長さが辺毎に異なるように配置されたことを特徴とする。
多角形の平板を用いることで、多角形の辺の内、接地する辺を変えて利用することができる。貫通孔の中心から平板の各辺までの垂線の長さは、辺毎に異なるように配置されているため、使用する際には、貫通孔に、ワインボトルの先端部を挿通して、ワインボトルの底部の一部とワインスタンドの多角形の１辺が接地し、接地する多角形の辺を変えることで、ワインボトルの角度が調整可能となっている。したがって、ワインの残量に合わせて、適した角度でワインボトルを固定することができ、一度寝かせたワインボトルをもう一度立てることで、澱が舞い上がることを防止することができる。
なお、平板の角部は、安全のため、丸みを帯びた形状に加工されていてもよい。
【０００８】
本発明のワインスタンドにおいて、貫通孔は、互いに径の異なる２つ以上の孔であることが好ましい。ワインボトルの口径は、瓶によって異なるため、径の異なる複数の貫通孔が設けられることで、より多くのワインボトルによって利用可能となる。
【０００９】
本発明のワインスタンドは、貫通孔が２つ以上設けられる場合、貫通孔の中心から平板の各辺までの垂線の長さは、全て異なることが好ましい。
これにより、例えば、矩形の平板に２つの貫通孔が設けられている場合、貫通孔の中心から平板の各辺までの垂線の長さが８通り設けられることになる。したがって、ボトル内のワインの量が減るに連れて、少しずつボトルを傾けてワインスタンドに固定するといった利用が可能となる。
【００１０】
本発明のワインスタンドにおける平板は、正三角形、正方形、長方形、或は、正五角形の何れかであることが好ましい。
平板が、正三角形、正方形或は正五角形である場合には、各辺が同じ長さであるので、どの辺でワインボトルを支持しても、安定してワインボトルを支持することができる。また、平板が正方形或は長方形である場合には、成形が容易であり、製造コストを抑えることができる。
【００１１】
本発明のワインスタンドの多角形において、貫通孔の中心から平板の各辺までの垂線の長さは、貫通孔にワインボトルの先端部を挿通してワインスタンドを使用する際、ワインボトルの軸方向が略水平角度で、１〜３°の範囲の調整が可能となるように設けられたことが好ましい。
ワイン中の澱は、ボトル内のワインの量が少なくなるほど、グラスに流入する危険性は高くなる。そこで、ワインボトルの軸方向が水平に近い角度になったときに、微調整が可能となるように設けることで、グラスへの澱の流入を防止しやすくする。
【００１２】
また、本発明のワインスタンドは、貫通孔にワインボトルの先端部を挿通してワインスタンドを使用する際に、ワインスタンドが卓と当接する部分が支点となり、該支点を中心にワインボトルが回転して、ワインがグラスに注がれることでも構わない。テコの原理を利用して、ワインスタンドとワインボトルを固定した状態でワインをグラスに注ぐワインサーバーとして利用することができる。
【発明の効果】
【００１３】
本発明のワインスタンドによれば、ワインボトルの軸方向と水平面とのなす角度を段階的に調整することで、ワインボトル内の澱が舞い上がることが防止できるといった効果がある。
また、ワインを提供する場合だけではなく、ワインを事前に抜栓して香味成分を開かせたい場合に、本発明のワインスタンドを使用して、ワイン液面が空気に触れる面積を変え、香味成分の促進調節をすることも可能である。
【図面の簡単な説明】
【００１４】
【図１】実施例１のワインスタンドの斜視図
【図２】実施例１のワインスタンドの右側面図
【図３】ワインボトルの形状説明図
【図４】実施例１のワインスタンドの使用イメージ図
【図５】実施例１のワインスタンド使用時の右側面図１
【図６】実施例１のワインスタンド使用時の右側面図２
【図７】実施例２のワインスタンドの斜視図
【図８】実施例２のワインスタンドの右側面図
【図９】実施例２のワインスタンドの使用イメージ図
【図１０】実施例２のワインスタンド使用時の右側面図１
【図１１】実施例２のワインスタンド使用時の右側面図２
【図１２】実施例２のワインスタンドの正面図
【図１３】実施例３のワインスタンドの正面図であり、（１）は三角形状、（２）は五角形状のものを示している。
【図１４】実施例１のワインスタンドの使用説明図
【発明を実施するための最良の形態】
【００１５】
以下、本発明の実施形態の一例を、図面を参照しながら詳細に説明していく。なお、本発明の範囲は、以下の実施例や図示例に限定されるものではなく、幾多の変更及び変形が可能である。
【実施例１】
【００１６】
図１は、実施例１のワインスタンドの斜視図を示している。図１に示すように、ワインスタンド１は、１枚の平板から成り、左上には貫通孔２ａが設けられている。貫通孔２ａにワインボトルの瓶口を挿し込んで使用する。
【００１７】
図２は、実施例１のワインスタンドの右側面図を示している。図２に示すように、ワインスタンド１は平板状に形成されている。貫通孔（２ａ，２ｂ）は、いずれもワインスタンド１の表面および裏面に対して垂直に設けられている。また、ワインスタンド１の厚みＴは、２０ｍｍとなっている。
【００１８】
図３は、提供前のワインボトルの正面図を示している。図８に示すように、ワインボトル３には、ワイン９が満たされており、ボトルの底部３ｄには、澱１０が沈殿し、溜まっている。ここで、ワインボトル３は、肩部３ｂがいかり肩のように形成されたボトルであるが、ボトルによっては、肩部３ｂから胴部３ｃにかけて、なで肩のように形成されたボトルも存在し、いずれのボトルであってもワインスタンド１を利用することは可能である。
澱１０は、グラス（図示せず）に流入するとワインの味が低下してしまうので、澱がグラスに流入しないように、ゆっくりとワインが注がれる。そうすることで、澱を舞い上がらせることなく、上澄みだけをグラスに注ぐことができる。適量をグラスに注いだ後は、通常はワインボトルを立てるなどして、テーブル上に置いておくことになるが、一度寝かせたボトルをもう一度立てると、その際に、どうしても澱が舞い上がってしまう。そこで、グラスにワインを注ぎ終わり、斜めになったボトルを立てることなく、ワインスタンド１に設けられた貫通孔２ａにワインボトル３の瓶口３ａを挿通して、立てかけるようにして固定する。
【００１９】
図４は、実施例１のワインスタンドの使用イメージ図を示している。図４に示すように、ワインスタンド１に設けられた貫通孔２ａにワインボトル３の瓶口を挿通して、立てかけるようにして固定している。
【００２０】
図５および図６は、実施例１のワインスタンド使用時の右側面図を示している。ワインが提供され始めてから間がなく、まだ十分にワイン９がワインボトル３内に残されている場合には、図５に示すように、ワインボトル３は少し傾けておくだけでよいので、貫通孔２ａにワインボトル３の瓶口３ａを挿通して、ワインスタンド１の底部６がテーブル４に接地するようにして固定している。これにより、必要以上にワインボトル３を傾けることなく、固定することができる。
これに対して、ワインが提供され、ワインボトル３内に残されているワインが少なくなってきた場合には、図６に示すように、ワインボトル３は、より傾けた状態で固定する必要があるので、ワインスタンド１の上下を反転させて、上部５がテーブル４に接地するようにして固定している。これにより、ワインの残量に合わせて、ワインボトル３を固定する角度を変更することができる。
【００２１】
図３に示すワインボトル３は、ボトルが立てられた状態であり、図５に示すワインボトル３では、ボトルがやや寝かされた状態となっており、図６に示すワインボトル３では、さらにボトルが寝かされた状態となっている。ワイン９の液面は、図３に示す液面９ａが最も狭く、図５に示す液面９ｂ、図６に示す液面９ｃと、ワインボトルが寝かされるに従って、ワインの液面は広くなる。
そこで、本実施例のワインスタンドは、ワインを提供する場合だけではなく、ワインを事前に抜栓して香味成分を開かせたい場合に使用して、ワイン液面が空気に触れる面積を変え、香味成分の促進調節をすることも可能である。
【００２２】
図１４は、実施例１のワインスタンドの使用説明図を示している。
ワインスタンド１の使用時に、ワイン９をグラスに注ぐ場合は、ワインスタンド１の貫通孔２ａからワインボトル３を抜き出して注ぐこともできるし、これとは別に、ワインボトル３をワインスタンド１に固定させたまま、ワイン９をグラスに注ぐことも可能である。
この場合、図１４に示すように、ワインボトルの底部３ｄを把持して持ち上げると、ワインボトル３が貫通孔２ａにしっかりと固定されていれば一体として挙動するので、ワインスタンド１がテーブル４と当接する部位が支点となり、ワインボトルの底を軽く持ち上げるだけで、所謂テコの原理で容易に安定して、ワインをグラスに注ぐことができる。すなわち、ワインスタンド１を用いて、便利なワインサーバーとして利用することができるのである。
【実施例２】
【００２３】
図７は、実施例２のワインスタンドの斜視図を示している。図７に示すように、ワインスタンド１１は、１枚の平板から成り、左上には貫通孔２ａが設けられ、右下には貫通孔２ｂが設けられている。貫通孔（２ａ，２ｂ）にワインボトルの瓶口３ａを挿し込んで使用する。
【００２４】
図８は、実施例２のワインスタンドの右側面図を示している。図８に示すように、ワインスタンド１は平板状に形成されている。貫通孔（２ａ，２ｂ）は、いずれもワインスタンド１１の表面および裏面に対して垂直に設けられている。また、ワインスタンド１１の厚みＴは、２０ｍｍとなっている。
【００２５】
図９は、実施例２のワインスタンドの使用イメージ図を示している。図９に示すように、ワインスタンド１１に設けられた貫通孔２ａにワインボトル３の瓶口を挿通して、立てかけるようにして固定している。
【００２６】
図１０および図１１は、実施例２のワインスタンド使用時の右側面図を示している。ワインが提供され始めてから間がなく、まだ十分にワイン９がワインボトル３内に残されている場合には、図１０に示すように、ワインボトル３は少し傾けておくだけでよいので、貫通孔２ａにワインボトル３の瓶口３ａを挿通して、ワインスタンド１１の底部６がテーブル４に接地するようにして固定している。これにより、必要以上にワインボトル３を傾けることなく、固定することができる。
これに対して、ワインが提供され、ワインボトル３内に残されているワインが少なくなってきた場合には、図１１に示すように、ワインボトル３は、より傾けた状態で固定する必要があるので、貫通孔２ｂにワインボトル３の瓶口３ａを挿通して、ワインスタンド１１の底部６がテーブル４に接地するようにして固定している。これにより、ワインの残量に合わせて、ワインボトル３を固定する角度を変更することができる。すなわち、実施例１とは異なり、瓶口３ａを挿通する貫通孔を変えることで、ワインボトル３を適切な角度で固定することができる。
【００２７】
図１２は、実施例１のワインスタンドの正面図を示している。図１２に示すように、ワインスタンド１１の左上には、貫通孔２ａが設けられ、右下には、貫通孔２ｂが設けられている。
貫通孔２ａの内径Ｒ１は、貫通孔２ｂの内径Ｒ２よりも大きく設けられている。これは、ワインボトルの口径は一定でないため、ワインボトルの瓶口を挿し込むために、より適した内径の貫通孔を選択できるようにしたものである。また、貫通孔２ｂに挿通可能な口径を有するワインボトルの場合は、大きめの貫通孔２ａに瓶口を挿し込むことも可能であるため、より多くの使用パターンが得られることになる。
【００２８】
平板状のワインスタンド１１において、貫通孔（２ａ，２ｂ）が設けられる位置は、ワインスタンド１１を使用する際の接地面から貫通孔までの高さを考慮して決定されている。具体的には、貫通孔の中心から平板の各辺までの垂線の長さは、全て異なるように配置されている。
まず、貫通孔２ａにワインボトルの瓶口を挿通して使用する場合について説明する。
貫通孔２ａの中心部から左側部７までの垂線の長さＬ２、右側部８までの垂線の長さＬ５、上部５までの垂線の長さＬ３、底部６までの垂線の長さＬ８は、いずれも異なっており、具体的には、長さＬ２が最も短く、Ｌ３、Ｌ５、Ｌ８と順に長くなっている。したがって、貫通孔２ａに瓶口を挿し込んで使用する場合に、あまりボトルを傾けたくない場合は、底部６をテーブルに接地させて使用すればよい。また、ワインをグラスに注ぎ、ボトル内のワインがやや少なくなった場合には、右側部８をテーブルに接地させて使用し、ワインの量が少なくなるに連れて、接地辺を上部５、左側部７へと変えて保持する。これにより、一度傾けたワインボトルを立てることなく、段階的に寝かせて行き、傾けたままの状態で保持することが可能となる。
【００２９】
次に、貫通孔２ｂにワインボトルの瓶口を挿通して使用する場合について説明する。
貫通孔２ｂの中心部から左側部７までの垂線の長さＬ６、右側部８までの垂線の長さＬ１、上部５までの垂線の長さＬ７、底部６までの垂線の長さＬ４は、いずれも異なっており、具体的には、長さＬ１が最も短く、Ｌ４、Ｌ６、Ｌ７と順に長くなっている。したがって、貫通孔２ｂに瓶口を挿し込んで使用する場合に、あまりボトルを傾けたくない場合は、上部５をテーブルに接地させて使用すればよい。また、ワインをグラスに注ぎ、ボトル内のワインがやや少なくなった場合には、左側部７をテーブルに接地させて使用し、ワインの量が少なくなるに連れて、接地辺を底部６、右側部８へと変えて保持する。これにより、一度傾けたワインボトルを立てることなく、段階的に寝かせて行き、傾けたままの状態で保持することが可能となる。
【００３０】
原則的には、使用するワインボトルの口径によって、いずれの貫通孔を使用するかは決定されることになるが、貫通孔２ａは貫通孔２ｂよりも内径が大きく設けられているので、貫通孔２ｂに挿通可能な瓶口を有するワインボトルであれば、貫通孔２ａに挿通させて使用することも可能である。
貫通孔（２ａ，２ｂ）の中心部から接地辺までの垂線の長さ（Ｌ１〜Ｌ８）は、いずれも異なる長さとなっているため、瓶口を挿し込む貫通孔と接地辺のパターンを変更することで、ワインボトルを保持する角度を自在に調整することができる。
具体的には、貫通孔（２ａ，２ｂ）の中心部から接地辺までの垂線の長さは、長さＬ１が最も短く、Ｌ２、Ｌ３、Ｌ４、Ｌ５、Ｌ６、Ｌ７、Ｌ８と順に長くなっている。したがって、あまりボトルを傾けたくない場合は、貫通孔２ａに瓶口を挿し込んで、底部６をテーブルに接地させて使用すればよい。また、ワインをグラスに注ぎ、ボトル内のワインがやや少なくなった場合には、貫通孔２ｂに瓶口を挿し込んで、上部５をテーブルに接地させて使用するというように、瓶口を挿し込む貫通孔と接地辺のパターンを変更することで、ワインボトルの角度をより小刻みに調整することができる。
【００３１】
また、図１１に示すように、澱１０は、ワイン９の残りが少なくなり、ワインボトル３が寝かされた状態になればなるほど、グラスへ流入しやすくなる。
そこで、貫通孔（２ａ，２ｂ）の中心部から接地辺までの垂線の長さ（Ｌ１〜Ｌ８）は、均等な間隔で設定されているわけではなく、ワインボトルの軸方向が水平に近い角度であればあるほど、小刻みに角度調整が可能な長さに設定されている。具体的には、長さ（Ｌ１〜Ｌ４）のそれぞれの間隔は、例えば、長さＬ４と長さＬ５や、長さＬ６と長さＬ７の間隔よりも細かく設定されている。
【実施例３】
【００３２】
図１３は、実施例３のワインスタンドの正面図であり、（１）は三角形状、（２）は五角形状のものを示している。
図１３（１）に示すように、ワインスタンド１２には、貫通孔２ｃが設けられている。辺１２ａを接地辺とした場合の貫通孔２ｃの中心から接地辺までの垂線の長さをＬ９、辺１２ｂを接地辺とした場合の貫通孔２ｃの中心から接地辺までの垂線の長さをＬ１０、辺１２ｃを接地辺とした場合の貫通孔２ｃの中心から接地辺までの垂線の長さをＬ１１とした場合、垂線の長さはＬ９が最も短く、Ｌ１０、Ｌ１１と順に長くなる。これにより、異なる辺を接地辺として、ワインボトルの瓶口を貫通孔２ｃに挿通して使用することで、ワインボトルの傾きを調整することが可能である。
【００３３】
図１３（２）に示すように、ワインスタンド１３には、貫通孔２ｄが設けられている。辺１３ａを接地辺とした場合の貫通孔２ｄの中心から接地辺までの垂線の長さをＬ１２、辺１３ｂを接地辺とした場合の貫通孔２ｄの中心から接地辺までの垂線の長さをＬ１３、辺１３ｃを接地辺とした場合の貫通孔２ｄの中心から接地辺までの垂線の長さをＬ１４、辺１３ｄを接地辺とした場合の貫通孔２ｄの中心から接地辺までの垂線の長さをＬ１５、辺１３ｅを接地辺とした場合の貫通孔２ｄの中心から接地辺までの垂線の長さをＬ１６とした場合、長さはＬ１２が最も短く、Ｌ１３、Ｌ１４、Ｌ１５、Ｌ１６と順に長くなる。これにより、異なる辺を接地辺として、ワインボトルの瓶口を貫通孔２ｄに挿通して使用することで、ワインボトルの傾きを調整することが可能である。
【産業上の利用可能性】
【００３４】
本発明は、ワインを飲用する際に使用するワインスタンドとして有用である。
【符号の説明】
【００３５】
１，１１〜１３  ワインスタンド
２ａ〜２ｄ  貫通孔
３  ワインボトル
３ａ  瓶口
３ｂ  肩部
３ｃ  胴部
３ｄ  底部
４  テーブル
５  上部
６  底部
７  左側部
８  右側部
９  ワイン
９ａ〜９ｃ  液面
１０  澱
１２ａ〜１２ｃ，１３ａ〜１３ｅ  辺
Ｌ  長さ
Ｒ  内径
Ｔ  厚み
【図１】
0006751861.tif 000002
【図２】
0006751861.tif 000003
【図３】
0006751861.tif 000004
【図４】
0006751861.tif 000005
【図５】
0006751861.tif 000006
【図６】
0006751861.tif 000007
【図７】
0006751861.tif 000008
【図８】
0006751861.tif 000009
【図９】
0006751861.tif 000010
【図１０】
0006751861.tif 000011
【図１１】
0006751861.tif 000012
【図１２】
0006751861.tif 000013
【図１３】
0006751861.tif 000014
【図１４】
0006751861.tif 000015